(57)【特許請求の範囲】
【請求項１】
持ち運び式の送風機であって、
筐体と、
前記筐体の正面に設けられて、外気を取り込むための吸引口と、
前記筐体の上面に設けられて、前記吸引口から取り込まれた外気を前記筐体の外方へ送るための送風口と、
前記筐体内に設けられ、回転することで、前記吸引口から外気を取り込むとともに前記送風口から前記筐体の外方へ外気を送り出す複数の羽根を有する回転体と、
前記吸引口に対向して設けられ、前記吸引口を覆うカバー部と、
前記筐体に取り付けられたひも部と、を備え、
前記カバー部は、その上端全部が前記筐体に連結され、前記カバー部の両側方端部と前記筐体の間、及び、前記カバー部の下部と前記筐体の間に間隙が形成され、当該間隙を通過して前記吸引口から前記筐体内に外気が取り込まれることを特徴とする送風機。
【請求項２】
前記筐体内で前記回転体の周りに設けられ、前記筐体内で前記吸引口から前記送風口へ外気を案内する案内壁をさらに備え、
前記回転体が正面側から見て時計回りに回転する場合には、正面側から見て左側に位置する案内壁と前記回転体の間に形成される外気通路の幅が、正面側から見て右側に位置する案内壁と前記回転体の間に形成される外気通路の幅よりも大きくなり、
前記回転体が正面側から見て反時計回りに回転する場合には、正面側から見て右側に位置する案内壁と前記回転体の間に形成される外気通路の幅が、正面側から見て左側に位置する案内壁と前記回転体の間に形成される外気通路の幅よりも大きくなることを特徴とする請求項１に記載の送風機。
【請求項３】
前記筐体内で前記回転体の周りに設けられ、前記筐体内で前記吸引口から前記送風口へ外気を案内する案内壁をさらに備え、
前記案内壁の下流側端部は、前記送風口まで直線状に上下方向で延びることを特徴とする請求項１または２に記載の送風機。
【請求項４】
前記筐体内で前記回転体の周りに設けられ、前記筐体内で前記吸引口から前記送風口へ外気を案内する案内壁をさらに備え、
前記案内壁には、前記送風口に外気を送り出すための開口部が設けられ、
前記回転体が正面側から見て時計回りに回転する場合には、前記開口部が前記回転体の左側の上方に設けられ、
前記回転体が正面側から見て反時計回りに回転する場合には、前記開口部が前記回転体の右側の上方に設けられることを特徴とする請求項１乃至３のいずれか１項に記載の送風機。
【請求項５】
前記筐体と前記カバー部の間の前記間隙が、２．０ｍｍ以上４．０ｍｍ以下であることを特徴とする請求項１乃至４のいずれか１項に記載の送風機。
【請求項６】
前記カバー部の下部の両側方端部と前記筐体の間に設けられた一対の下方支持部をさらに備えたことを特徴とする請求項１乃至５のいずれか１項に記載の送風機。
【請求項７】
前記一対の下方支持部の間に設けられた下方補助支持部をさらに備えたことを特徴とする請求項６に記載の送風機。
【請求項８】
前記カバー部の上部の両側方端部と前記筐体の間に設けられた一対の上方支持部をさらに備えたことを特徴とする請求項１乃至７のいずれか１項に記載の送風機。
【請求項９】
前記カバー部の中央部の両側方端部と前記筐体の間に設けられた一対の側方補助支持部をさらに備えたことを特徴とする請求項１乃至８のいずれか１項に記載の送風機。
【請求項１０】
前記ひも部は、一部で分離自在となり、
前記筐体の上部の両側面に、前記ひも部を取り付けるためのひも取付部が設けられていることを特徴とする請求項１乃至９のいずれか１項に記載の送風機。
【請求項１１】
前記ひも部の長さは調整自在になっていることを特徴とする請求項１乃至１０のいずれか１項に記載の送風機。
【請求項１２】
前記筐体の背面に設けられたクリップ部をさらに備え、
前記クリップ部は、前記筐体の背面側から見て上下左右方向のいずれの方向に向かって開口するか選択して取り付けることができることを特徴とする請求項１乃至１１のいずれか１項に記載の送風機。
【請求項１３】
前記クリップ部は、前記筐体の背面に対して回転することで、前記筐体の背面側から見て上下左右方向のいずれの方向に向かって開口するか選択できることを特徴とする請求項１２に記載の送風機。
【請求項１４】
前記筐体の背面に揺動自在に設けられたスタンド部をさらに備え、
卓上式の送風機としても利用できることを特徴とする請求項１乃至１３のいずれか１項に記載の送風機。
【発明の詳細な説明】
【技術分野】
【０００１】
本発明は、持ち運び式の送風機に関する。
【背景技術】
【０００２】
従来から、様々な持ち運び式の送風機が知られている。その一例としては、筐体と、筐体の正面に設けられて外気を取り込むための吸引口と、筐体の上面に設けられて吸引口から取り込まれた外気を筐体の外方へ送るための送風口と、筐体内に設けられ、回転することで、吸引口から外気を取り込むとともに送風口から筐体の外方へ外気を送り出す複数の羽根を有する回転体と、筐体に取り付けられたひも部と、を備えた持ち運び式の送風機が知られている（米国特許７，８２８，５２４号参照）。【０００３】
この米国特許７，８２８，５２４号に開示された送風機によれば、使用者がひも部を例えば首からぶら下げることで、使用者は送風機の送風口から送り出される風をうけることができる。
【発明の開示】
【０００４】
しかしながら、米国特許７，８２８，５２４号に開示された送風機は、上述したように首からぶら下げるというような使い方をすることを想定していることから、使用者が送風機を使用している間に、送風機の正面が使用者の身体の方を向いてしまうことがある。特に、使用者の体を動かす機会が多い場合には、このように送風機の正面が身体の方を向いてしまうことがよくある。このように、送風機の正面が使用者の身体の方を向いてしまうと、筐体の正面に設けられた吸引口から外気を吸い込むことができず、送風機としての機能を果たすことができない。
【０００５】
また、米国特許７，８２８，５２４号に開示された送風機では、筐体の正面側に吸引口がむき出しで設けられているので、当該吸引口から異物が混入する可能性がある。このように異物が混入すると、回転体の羽根が破損してしまう可能性があり、好ましくない。また、場合によっては吸引口に指が入ってしまう可能性があり、このような場合には回転体の羽根に指が接触する可能性があり危険である。
【０００６】
また、米国特許７，８２８，５２４号に開示された送風機では、上述したように吸引口がむき出しで設けられているので、見た目があまり良くなく、顧客の購買意欲を高める点では優れているとは言い難い。
【０００７】
以上のような点に鑑み、本発明は、送風機の正面が使用者の身体の方を向いてしまっても送風機としての機能を発揮することができ、異物や指等が筐体内に入りにくく、意匠性に優れた送風機を提供する。
【０００８】
本発明の送風機は、
持ち運び式の送風機であって、
筐体と、
前記筐体の正面に設けられて、外気を取り込むための吸引口と、
前記筐体の上面に設けられて、前記吸引口から取り込まれた外気を前記筐体の外方へ送るための送風口と、
前記筐体内に設けられ、回転することで、前記吸引口から外気を取り込むとともに前記送風口から前記筐体の外方へ外気を送り出す複数の羽根を有する回転体と、
前記吸引口に対向して設けられ、前記吸引口を覆うカバー部と、
前記筐体に取り付けられたひも部と、を備え、
前記カバー部は、その上端全部が前記筐体に連結され、前記カバー部の両側方端部と前記筐体の間、及び、前記カバー部の下部と前記筐体の間に間隙が形成され、当該間隙を通過して前記吸引口から前記筐体内に外気が取り込まれる。
【００１１】
本発明の送風機は、
前記筐体内で前記回転体の周りに設けられ、前記筐体内で前記吸引口から前記送風口へ外気を案内する案内壁をさらに備え、
前記回転体が正面側から見て時計回りに回転する場合には、正面側から見て左側に位置する案内壁と前記回転体の間に形成される外気通路の幅が、正面側から見て右側に位置する案内壁と前記回転体の間に形成される外気通路の幅よりも大きくなり、
前記回転体が正面側から見て反時計回りに回転する場合には、正面側から見て右側に位置する案内壁と前記回転体の間に形成される外気通路の幅が、正面側から見て左側に位置する案内壁と前記回転体の間に形成される外気通路の幅よりも大きくなってもよい。
【００１２】
本発明の送風機は、
前記筐体内で前記回転体の周りに設けられ、前記筐体内で前記吸引口から前記送風口へ外気を案内する案内壁をさらに備え、
前記案内壁の下流側端部は、前記送風口まで直線状に上下方向で延びてもよい。
【００１３】
本発明の送風機は、
前記筐体内で前記回転体の周りに設けられ、前記筐体内で前記吸引口から前記送風口へ外気を案内する案内壁をさらに備え、
前記案内壁には、前記送風口に外気を送り出すための開口部が設けられ、
前記回転体が正面側から見て時計回りに回転する場合には、前記開口部が前記回転体の左側の上方に設けられ、
前記回転体が正面側から見て反時計回りに回転する場合には、前記開口部が前記回転体の右側の上方に設けられてもよい。
【００１４】
本発明の送風機において、
前記筐体と前記カバー部の間の前記間隙が、２．０ｍｍ以上４．０ｍｍ以下であってもよい。
【００１５】
本発明の送風機は、
前記カバー部の下部の両側方端部と前記筐体の間に設けられた一対の下方支持部をさらに備えてもよい。
【００１６】
本発明の送風機において、
前記一対の下方支持部の間に設けられた下方補助支持部をさらに備えてもよい。
【００１７】
本発明の送風機は、
前記カバー部の上部の両側方端部と前記筐体の間に設けられた一対の上方支持部をさらに備えてもよい。
【００１８】
本発明の送風機は、
前記カバー部の中央部の両側方端部と前記筐体の間に設けられた一対の側方補助支持部をさらに備えてもよい。
【００１９】
本発明の送風機において、
前記ひも部は、一部で分離自在となり、
前記筐体の上部の両側面に、前記ひも部を取り付けるためのひも取付部が設けられてもよい。
【００２０】
本発明の送風機において、
前記ひも部の長さは調整自在になってもよい。
【００２１】
本発明の送風機は、
前記筐体の背面に設けられたクリップ部をさらに備え、
前記クリップ部は、前記筐体の背面側から見て上下左右方向のいずれの方向に向かって開口するか選択して取り付けることができてもよい。
【００２２】
本発明の送風機において、
前記クリップ部は、前記筐体の背面に対して回転することで、前記筐体の背面側から見て上下左右方向のいずれの方向に向かって開口するか選択できてもよい。
【００２３】
本発明の送風機は、
前記筐体の背面に揺動自在に設けられたスタンド部をさらに備え、
卓上式の送風機としても利用できてもよい。
【００２４】
本発明によれば、吸引口に対向して当該吸引口を覆うカバー部が設けられ、かつ、筐体とカバー部の間に間隙が設けられて当該間隙を通過して吸引口から筐体内に外気が取り込まれる。このため、例え送風機の正面が使用者の身体の方を向いてしまっても、何ら効率を落とすことなく、吸引口から外気を取り込むとともに送風口から筐体の外方へ外気（風）を送り出すことができる。
【００２５】
また、このように吸引口に対向して当該吸引口を覆うカバー部が設けられているので、筐体内に異物や指等が入りにくい。さらに、カバー部で吸引口が覆われることから、吸引口が隠され、意匠性を高めることができ、ひいては、顧客の購買意欲を高めることができる。
【図面の簡単な説明】
【００２６】
【図１】図１は、本発明の実施の形態による送風機を正面側から見た斜視図である。
【図２】図２は、本発明の実施の形態による送風機を背面側から見た斜視図である。
【図３】図３は、本発明の実施の形態による送風機の筐体内を正面側から見た正面図である。
【図４】図４は、本発明の実施の形態による送風機を筐体の正面から見て右側から見た側面図である。
【図５】図５は、本発明の実施の形態による送風機を筐体の正面から見て左側から見た側面図である。
【図６】図６は、本発明の実施の形態による送風機を下側から見た底面図である。
【図７】図７は、本発明の実施の形態による送風機を背面側から見た背面図であり、図７（ａ）はクリップ部が左側を向いて開口している態様を示したものであり、図７（ｂ）はクリップ部が右側を向いて開口している態様を示したものである。
【図８】図８は、本発明の実施の形態による送風機の全体構成を示した正面図である。
【図９】図９は、本発明の実施の形態による送風機のひも部が一部で分離自在となっていることを説明するための斜視図である。
【図１０】図１０は、本発明の実施の形態によるクリップ部と固定部の構成を説明するための断面図であり、図１０（ａ）はクリップ部が左側を向いて開口している態様を示したものであり、図１０（ｂ）はクリップ部が右側を向いて開口している態様を示したものである。
【図１１】図１１は、本発明の実施の形態によるスタンド部が２段階で傾く態様を示した側方図である。
【発明を実施するための最良の形態】
【００２７】
実施の形態
本実施の形態の送風機は、持ち運び式の送風機である。この送風機は、図１に示すように、筐体２０と、筐体２０の正面に設けられて外気を取り込むための吸引口２１と、筐体２０の上面に設けられて吸引口２１から取り込まれた外気を筐体２０の外方へ送るための送風口２２と、筐体２０内に設けられ、回転することで、吸引口２１から外気を取り込むとともに送風口２２から筐体２０の外方へ外気を送り出す複数の羽根３１を有する回転体３０（図３参照）と、吸引口２１に対向して設けられ、吸引口２１の全面を覆うカバー部１０と、筐体２０に取り付けられたひも部６０（図８参照）と、を備えている。【００２８】
なお、本願において筐体２０の「正面」とは、筐体２０の吸引口２１の設けられた面のことを意味し、筐体２０の「背面」とは、筐体２０の面のうち「正面」と反対側の面のことを意味し、筐体２０の「上面」とは、筐体２０の送風口２２の設けられた面のことを意味する。【００２９】
図１に示すように、筐体２０とカバー部１０の間には間隙Ｇが設けられており、当該間隙Ｇを通過して吸引口２１から筐体２０内に外気が取り込まれるようになっている。また、筐体２０の側面には、送風機のＯＮ及びＯＦＦを切り替えるスイッチ２５が設けられている。【００３０】
ところで、本実施の形態では、以下、回転体３０が正面側から見て時計回りに回転する態様を用いて説明するが、これに限られることはなく、回転体３０は正面側から見て反時計回りに回転してもよい。【００３１】
図４乃至図６に示すように、本実施の形態では、カバー部１０は、その上端全部が筐体２０に連結され、間隙Ｇが、カバー部１０の両側方端部と筐体２０の間（図４及び図５参照）、及び、カバー部１０の下部と筐体２０の間（図６参照）に形成される構成からなっている。本実施の形態では、このような態様を用いて説明するが、これに限られることはなく、例えば、カバー部１０の上端の一部のみが筐体２０に連結される態様であってもよいし、上端ではなく、カバー部１０の側方端部又は下端部が筐体２０に連結される態様であってもよい。【００３２】
図４乃至図６に示すように、カバー部１０の下部の両側方端部と筐体２０の間には、一対の下方支持部４１が設けられ、図６に示すように、当該一対の下方支持部４１の間には下方補助支持部４２が設けられている。なお、これら下方支持部４１及び下方補助支持部４２の各々は円柱形状となっているが、下方支持部４１の直径は下方補助支持部４２の直径よりも大きくなっている。ところで、本願で、「カバー部の下部」とは、カバー部１０を三等分したときに最も下方に位置している部分のことを意味し、「カバー部の上部」とは、カバー部１０を三等分したときに最も上方に位置している部分のことを意味し、「カバー部の中央部」とは、カバー部１０を三等分したときに「カバー部の下部」と「カバー部の上部」の間に位置している部分のことを意味している。【００３３】
また、図４及び図５に示すように、カバー部１０の上部の両側方端部と筐体２０の間には、一対の上方支持部４６が設けられ、カバー部１０の中央部の両側方端部と筐体２０の間には、一対の側方補助支持部４７が設けられている。これら上方支持部４６及び側方補助支持部４７の各々は円柱形状となっているが、上方支持部４６の直径は側方補助支持部４７の直径よりも大きくなっている。なお、上方支持部４６の直径と下方支持部４１の直径は同程度の大きさであり、下方補助支持部４２の直径と側方補助支持部４７の直径は同程度の大きさである。【００３４】
図３に示すように、筐体２０内であって回転体３０の周りには、筐体２０内で吸引口２１から送風口２２へ外気を案内する案内壁３５が設けられている。そして、案内壁３５の送風口２２に対向した部分の少なくとも一部には、送風口２２に外気を送り出すための開口部３９が設けられており、本実施の形態では、開口部３９が回転体３０の左側の上方に設けられている。なお、回転体３０の右側の上方には案内壁３５が設けられている。また、案内壁３５の下流側端部３５ｅは、送風口２２まで直線状に上下方向で延びている。なお、本願で「下流側」とは、外気の流れる方向における下流側のことを意味している。【００３５】
また、図３に示すように、本実施の形態では、正面側から見て左側に位置する案内壁３５と回転体３０の間に形成される外気通路３６の幅Ｗａが、右側に位置する案内壁３５と回転体３０の間に形成される外気通路３６の幅Ｗｂよりも大きくなっている。【００３６】
なお、本実施の形態では、回転体３０が正面側から見て時計回りに回転する態様を用いていることから、案内壁３５の構成が上述したようになっているが、回転体３０が正面側から見て反時計回りに回転する態様を用いる場合には、開口部３９が回転体３０の右側の上方に設けられ、回転体３０の左側の上方には案内壁３５が設けられている態様を用いることができる。また、正面側から見て右側に位置する案内壁３５と回転体３０の間に形成される外気通路３６の幅Ｗｂが、左側に位置する案内壁３５と回転体３０の間に形成される外気通路３６の幅Ｗａよりも大きくなっている態様を用いることができる。【００３７】
図９に示すように、本実施の形態のひも部６０には、第一取付体６１ａと第二取付体６１ｂに分離自在の取付体６１ａ，６１ｂが設けられ、一部（本実施の形態では端部近傍）で分離自在となっている。また、図１及び図２に示すように、筐体２０の上部の両側面には、ひも部６０を取り付けるためのひも取付部７０が設けられている。また、図８に示すように、ひも部６０にはその長さを調整するための調整部６５が設けられ、ひも部６０の長さは調整自在になっている。【００３８】
図７（ａ）（ｂ）に示すように、本実施の形態の筐体２０の背面にはクリップ部５０が設けられている。そして、このクリップ部５０は、背面側から見て上下左右方向のいずれの方向に向かって開口するか選択して取り付けることができるようになっている。具体的には、クリップ部５０は、筐体２０の背面に対して回転することで、背面側から見て上下左右方向のいずれの方向に向かって開口するか選択できるようになっている。【００３９】
図７（ａ）（ｂ）に示すように、筐体２０の背面には、前後方向で揺動自在なスタンド部５６が設けられており、本実施の形態の送風機は、卓上式の送風機としても利用できるようになっている。スタンド部５６は、２段階で傾くことができ、具体的には図１１（ａ）に示すように、側方から見たときに筐体２０の背面に対して略９０度で傾くことと、図１１（ｂ）に示すように筐体２０の背面に設けられた後述する凸形状部９０に当接する角度まで傾くことができる。なお、図１１（ａ）に示すように、筐体２０の背面に対して略９０度で傾くのは、スタンド部５６の軸側の面に一対の平坦面５９が形成されており（図２参照）、当該平坦面５９が筐体２０の背面に当接することによる。【００４０】
このスタンド部５６には切欠き５７が設けられている。そして、図１０（ａ）（ｂ）に示すように、クリップ部５０には、切欠き５７に沿って移動したり切欠き５７内で回転したりすることができる延在部５２と、延在部５２の先端に設けられ切欠き５７の幅よりも大きな直径からなる円形部５１とを有する固定部５３が設けられている。【００４１】
なお、筐体２０内には２つの乾電池Ｂを取り付けるための電池取付部２７が設けられており、３つの乾電池を用いる米国特許７，８２８，５２４号に開示された送風機と異なる態様になっている。ところで、送風機は、ＵＳＢケーブルに接続可能となってもよく、この場合には、パソコン等の外部装置からＵＳＢケーブルを介して電力が供給されることなる。なお、ＵＳＢケーブルの接続端子は、例えば、スイッチ２５の下方に設けられる。【００４２】
《作用・効果》
次に、上述した構成からなる本実施の形態による作用・効果について説明する。【００４３】
本実施の形態によれば、図１に示すように、吸引口２１に対向して当該吸引口２１を覆うカバー部１０が設けられ、かつ、筐体２０とカバー部１０の間に間隙Ｇが設けられて当該間隙Ｇを通過して吸引口２１から筐体２０内に外気が取り込まれる。このため、例え送風機の正面が使用者の身体の方を向いてしまっても、何ら効率を落とすことなく、吸引口２１から外気を取り込むとともに送風口２２から筐体２０の外方へ外気（風）を送り出すことができる。【００４４】
この点、米国特許７，８２８，５２４号に開示された送風機のような従来の送風機では、送風機の正面が使用者の身体の方を向いてしまうと、筐体の正面に設けられた吸引口から外気を吸い込むことができず、送風機としての機能を果たせなかった。特に使用者が体を動かす機会の多い場合には、送風機の正面が身体の方を向いてしまうことがよくあり、使用者から苦情が出ることさえあった。【００４５】
これに対して、本実施の形態によれば、上述した構成のカバー部１０が設けられているので、例え送風機の正面が使用者の身体の方を向いてしまっても、何ら効率を落とすことなく、吸引口２１から外気を取り込むことができ、送風機として機能しうる。このため、本実施の形態による送風機は、常に送風機として機能するという点で、米国特許７，８２８，５２４号に開示された送風機と比べて非常に有益な効果を奏することができる。【００４６】
また、本実施の形態によれば、吸引口２１に対向して当該吸引口２１を覆うカバー部１０が設けられているので、筐体２０内に異物や指等が入りにくい。特に本実施の形態では、カバー部１０で吸引口２１の全面が覆われていることから、筐体２０内に指が入ることはなく、指が羽根３１に触れてしまうことを確実に防止することができる。【００４７】
さらに、本実施の形態によれば、カバー部１０で吸引口２１の全面が覆われることから、吸引口２１が完全に隠され、意匠性を高めることができ、ひいては、顧客の購買意欲を高めることができる。【００４８】
図４乃至図６に示すように、本実施の形態では、カバー部１０は、その上端全部が筐体２０に連結され、間隙Ｇが、カバー部１０の両側方端部と筐体２０の間（図４及び図５参照）、及び、カバー部１０の下部と筐体２０の間（図６参照）に形成される構成からなっている。このため、吸引口２１の上方ではなく、吸引口２１の下方及び側方から筐体２０内に外気を取り込むことができる。吸引口２１の上方から外気を取り込む態様では、上方から筐体２０内に取り込んだ外気を送風口２２から上方へ送り出すこととなるため、外気の流れが乱れてしまう。このため、使用者に効率よく風を送ることができず、また、心地よい風を送ることもできない。これに対して、本実施の形態では、吸引口２１の下方及び側方から筐体２０内に外気を取り込み送風口２２から上方へ送り出すことができ、外気の流れが乱れない。このため、使用者に心地よい風を効率よく送ることができる。なお、カバー部１０の上端の一部のみが筐体２０に連結される態様であっても、外気の流れをある程度防止することができ、使用者に比較的心地よい風を効率よく送ることができる。【００４９】
図４及び図５に示すように、本実施の形態では、カバー部１０の下部の両側方端部と筐体２０の間に、一対の下方支持部４１が設けられている。このため、カバー部１０の下端が下方へ撓むことを防止することができ、ひいては、吸引口２１の下方から筐体２０内に取り込まれる外気の流れを遮断することを防止することができる。【００５０】
また、図６に示すように、本実施の形態では、一対の下方支持部４１の間に下方補助支持部４２が設けられていることから、カバー部１０の下端が筐体２０に向かって撓むことをより確実に防止することができ、ひいては、吸引口２１の下方から筐体２０内に取り込まれる外気の流れを遮断することをより確実に防止することができる。【００５１】
図４及び図５に示すように、本実施の形態では、カバー部１０の上部の両側方端部と筐体２０の間に一対の上方支持部４６が設けられている。このため、カバー部１０の上部が筐体２０に向かって撓むことを防止することができ、ひいては、吸引口２１の側方から筐体２０内に取り込まれる外気の流れを遮断することを防止することができる。【００５２】
また、図４及び図５に示すように、本実施の形態では、カバー部１０の中央部の両側方端部と筐体２０の間に一対の側方補助支持部４７が設けられている。このため、カバー部１０の両側部が筐体２０に向かって撓むことをより確実に防止することができ、ひいては、吸引口２１の側方から筐体２０内に取り込まれる外気の流れを遮断することをより確実に防止することができる。【００５３】
また、図３に示すように、本実施の形態では、案内壁３５の下流側端部３５ｅが送風口２２まで直線状に上下方向で延びている。また、開口部３９が回転体３０の左側の上方に設けられ、かつ、回転体３０の右側の上方には案内壁３５が設けられている。さらに、正面側から見て左側に位置する案内壁３５と回転体３０の間に形成される外気通路３６の幅Ｗａが、右側に位置する案内壁３５と回転体３０の間に形成される外気通路３６の幅Ｗｂよりも大きくなっている。これらのことから、本実施の形態によれば、吸引口２１から筐体２０内に取り込まれた外気を、送風口２２から筐体２０の真っ直ぐ上方に送り出すことができる。【００５４】
この点、米国特許７，８２８，５２４号に開示された送風機のような従来の送風機では、吸引口から筐体内に取り込まれた外気は、送風口から筐体の斜め上方に送り出されていた。このように斜めに外気が送り出されることに対して、違和感を覚える使用者が多少なりともおり、筐体の真っ直ぐ上方に外気を送り出すことが要望されてきた。この点、本実施の形態によれば、（１）内壁の下流側端部３５ｅが送風口２２まで直線状に上下方向で延び、（２）開口部３９が回転体３０の左側の上方に設けられ、かつ、回転体３０の右側の上方には案内壁３５が設けられ、（３）さらに、正面側から見て左側に位置する案内壁３５と回転体３０の間に形成される外気通路３６の幅Ｗａが、右側に位置する案内壁３５と回転体３０の間に形成される外気通路３６の幅Ｗｂよりも大きくなっているという構成によって、吸引口２１から筐体２０内に取り込まれた外気を、送風口２２から筐体２０の真っ直ぐ上方に送り出すことができる。このため、本実施の形態による送風機は、違和感なく送風機を使用できるという点で、米国特許７，８２８，５２４号に開示された送風機と比べて非常に有益な効果を奏することができる。【００５５】
なお、上述した、（１）内壁の下流側端部３５ｅが送風口２２まで直線状に上下方向で延びること、（２）開口部３９が回転体３０の左側の上方に設けられ、かつ、回転体３０の右側の上方には案内壁３５が設けられること、及び、（３）正面側から見て左側に位置する案内壁３５と回転体３０の間に形成される外気通路３６の幅Ｗａが、右側に位置する案内壁３５と回転体３０の間に形成される外気通路３６の幅Ｗｂよりも大きくなっていることの各々によって、外気（風）を送風口２２から筐体２０の真っ直ぐ上方に送り出すという点に関して、それ相応の効果を得ることができる。このため、必ずしもこれら（１）〜（３）の全てを組み合わせる必要はないことについては指摘しておく。つまり、外気（風）を送風口２２から筐体２０の真っ直ぐ上方に送り出すという点に関して、上述した（１）、（２）及び（３）の各々だけで、一定程度の効果を得ることができ、上述した（１）、（２）及び（３）のうちの任意の二つを組み合わせることで、比較的高い効果を得ることができる。【００５６】
ところで、本実施の形態では吸引口２１を覆うカバー部１０が設けられているので、筐体２０内に取り込まれる外気の量がどうしても少なくなってしまい、送風口２２から送り出される風の量が少なくなってしまう。この点、本実施の形態によれば、上述したように、送風口２２から筐体２０の真っ直ぐ上方に送り出すことができ、送風口２２から使用者の例えば顔までの距離を短くすることができる。このため、送風口２２から送り出される外気の量が少なくなっても、それを補うことができる。このように送風口２２から筐体２０の真っ直ぐ上方に外気（風）を送り出すということは、吸引口２１を覆うカバー部１０が設けたことで生じた新たな課題を解決することができるという点で、非常に有益なものである。【００５７】
ところで、筐体２０とカバー部１０の間の間隙Ｇが小さくなると、当該間隙Ｇでノイズが発生してしまう。そして、例えば１．０ｍｍのように、間隙Ｇが小さくなり過ぎると吸引口２１から外気をうまく取り込むことができなくなってしまい、送風口２２から送られる風が少なくなる（以下の「表１」参照）。
【表１】
0006046123.tif 000002
【００５８】
表１に示した結果を考慮すると、間隙Ｇが２．０ｍｍであれば大きなノイズが生じてしまうものの適度な風量の風が送風口２２から流れるので、間隙Ｇを２．０ｍｍにすることはできる。また、間隙Ｇが２．５ｍｍとなれば、ノイズの大きさが中くらいになり好ましく、間隙Ｇが３．０ｍｍとなれば、ノイズが小さくなることから非常に好ましい。つまり、間隙Ｇは、２．０以上であることが好ましく、２．５ｍｍ以上であることがより好ましく、３．０ｍｍ以上であることがさらに好ましい。【００５９】
ところで、上述したように、間隙Ｇが１．０ｍｍでは送風口２２から適量の風を送ることができないのに対して、間隙Ｇが２．０ｍｍであれば適度な風量の風を送風口２２から送ることができる。このため、間隙Ｇが２．０ｍｍ以上であるという数値限定の内と外で顕著な差異があると言え、間隙Ｇが２．０ｍｍ以上であるということには臨界的意義があると言える。【００６０】
他方、筐体２０とカバー部１０の間の間隙Ｇが大きくなりすぎると送風機の厚みが大きくなってしまい、持ち運びに不便になる上、見た目が悪くなってしまう。この点、本実施の形態の送風機の筐体２０の厚みが概ね１６ｍｍからなっていることからすると、その１／４に相当する４．０ｍｍよりも間隙Ｇが大きくなることは好ましくなく、４．０ｍｍ以下となることが好ましい。また、より見た目をよくするのであれば、間隙Ｇは、３．５ｍｍ以下であることがより好ましく、３．３ｍｍ以下であることがさらに好ましい。【００６１】
図９に示すように、本実施の形態では、ひも部６０が一部（本実施の形態では端部近傍）で分離自在となり、図１及び図２に示すように、筐体２０の上部の両側面に、ひも部６０を取り付けるためのひも取付部７０が設けられている。このため、ひも部６０を筐体２０の両側面に取り付けることができ、送風機を使用者の例えば首から真っ直ぐ下方に掛けることができる。そして、上述したように、本実施の形態の送風機では、吸引口２１から筐体２０内に取り込んだ外気を送風口２２から筐体２０の真っ直ぐ上方に送り出すことができるので、使用者の例えば顔に真下から風を送ることができる。【００６２】
この点、米国特許７，８２８，５２４号に開示された送風機のような従来の送風機では、ひも部が一部で分離自在となっていないことから、筐体の片側だけにしかひも部を取り付けることができなかった。このため、送風機を使用者の例えば首に掛けると、どうしても送風機が斜めに傾いてしまっていた。これに対し、本実施の形態によれば、ひも部６０が一部（本実施の形態では端部近傍）で分離自在となっているので、筐体２０の上部の両側面に設けられたひも取付部７０にひも部６０を取り付けることができる。この結果、上述したように送風口２２から筐体２０の真っ直ぐ上方に送り出すことのできる本実施の形態の送風機において、使用者の例えば顔の真下から風を送ることができるという効果を得ることができる。【００６３】
なお、このように、送風口２２から筐体２０の真っ直ぐ上方に送り出すことができるということと、送風機を使用者の例えば首から真っ直ぐ下方に掛けることができるということは、相乗効果をもたらす関係にある点については指摘しておく。【００６４】
また、本実施の形態では、ひも部６０にはその長さを調整するための調整部６５が設けられ、ひも部６０の長さが調整自在になっている。このため、本実施の形態によれば、使用者の好みや用途に合わせて、ひもの長さを適宜変えることができる。【００６５】
また、本実施の形態では、筐体２０の背面にクリップ部５０が設けられている。このため、シャツ等の衣服に送風機を取り付けることで、送風機がぶらつくことを防止することができる。【００６６】
なお、本実施の形態のクリップ部５０は、筐体２０の背面に対して回転することで、筐体２０の背面側から見て上下左右方向のいずれの方向に向かって開口するか選択して取り付けることができるようになっている。【００６７】
このため、例えば男性の使用者が本実施の形態の送風機を用いる場合には、筐体２０の背面側から見て左方向に向かって開口するようにクリップ部５０を回転させて位置づけて、シャツ等の衣服に送風機を取り付けることができる（図７（ａ）及び図１０（ａ）参照）。他方、例えば女性の使用者が本実施の形態の送風機を用いる場合には、筐体２０の背面側から見て右方向に向かって開口するようにクリップ部５０を回転させて位置づけて、シャツ等の衣服に送風機を取り付けることができる（図７（ｂ）及び図１０（ｂ）参照）。【００６８】
また、筐体２０の背面側から見て下方向に向かって開口するようにクリップ部５０を回転させて位置づけることで、例えばシャツの胸ポケットやズボンの腰部に送風機を取り付けることができる。さらに、筐体２０の背面側から見て上方向に向かって開口するようにクリップ部５０を回転させて位置づけることで、例えばＴシャツの首部に送風口２２が下方向に向かうように取り付けることもできる。【００６９】
なお、本実施の形態では、図１０に示すように、スタンド部５６の切欠き５７内に、固定部５３の延在部５２が位置する構成になっているが、図７（ａ）（ｂ）に示すように、スタンド部５６の上方に凸形状部９０が設けられている。そして、この凸形状部９０によって、クリップ部５０が切欠き５７内で上方に移動しても、切欠き５７からクリップ部５０が外方に出ないようになっている。このため、筐体２０の背面側から見て上方向に向かって開口するようにクリップ部５０を位置づけた上で、例えばＴシャツの首部に送風口２２が下方向に向かうように取り付けても、クリップ部５０が切欠き５７から外方に出ることはない。【００７０】
最後になったが、上述した実施の形態の記載及び図面の開示は、請求の範囲に記載された発明を説明するための一例に過ぎず、上述した実施の形態の記載又は図面の開示によって請求の範囲に記載された発明が限定されることはないことについては指摘しておく。
【図１】
0006046123.tif 000003
【図２】
0006046123.tif 000004
【図３】
0006046123.tif 000005
【図４】
0006046123.tif 000006
【図５】
0006046123.tif 000007
【図６】
0006046123.tif 000008
【図７】
0006046123.tif 000009
【図８】
0006046123.tif 000010
【図９】
0006046123.tif 000011
【図１０】
0006046123.tif 000012
【図１１】
0006046123.tif 000013